(57)【要約】  本開示はバリア材で包装されたタバコ産業製品を含む包装された束に関する。バリア材はバリア材に取り出し領域を含み、包装された束はラベルを含み、このラベルは取り出し領域を覆うためにバリア材に接着される。ラベルは取り出し領域を越えて延びる周辺部分を有し、かつ、タバコ産業製品に触ることがきるように取り出し領域を開けるために使用時にはバリア材から剥がすことができる。バリア材は８５ｇｓｍ超の紙重量を有する紙を含む。
2020517541.tif 000002
【特許請求の範囲】
【請求項１】
バリア材で包装されたタバコ産業製品を含む包装された束であって、このバリア材は、バリア材に取り出し領域を含み、包装された束は、取り出し領域を覆うための前記バリア材に接着されたラベルを含み、このラベルは取り出し領域を越えて延びる周辺部を有し、かつタバコ産業製品に触ることがきるように取り出し領域を開けるために使用時にはバリア材から剥がすことができ、前記バリア材は紙重量が８５ｇｓｍより重い紙を含む包装された束。
【請求項２】
ラベルは、バリア材の表面に接着される別個のカバーを形成することを特徴とする請求項１記載の包装された束。
【請求項３】
包装された束は、タバコ産業製品とバリア材の間に内方フレームを含まないことを特徴とする請求項１または２記載の包装された束。
【請求項４】
バリア材は重なり領域を含み、この重なり領域の間には包装された束はいかなる接着剤も備えないことを特徴とする請求項1乃至３いずれか1項記載の包装された束。
【請求項５】
包装された束は、側面によって隔てられる正面と背面を有する平行六面体を形成し、バリア材の重なり領域の少なくとも一つは、包装された束の側面の一つに実質的に沿って配されることを特徴とする請求項４記載の包装された束。
【請求項６】
重なり領域は封止されていないことを特徴とする請求項４または５記載の包装された束。
【請求項７】
ラベルの周辺部分は、再粘着性接着剤でバリア材に接着されることを特徴とする請求項1乃至６いずれか１項記載の包装された束。
【請求項８】
ラベルは、使用時に蓋を開口位置に回転させると同時に、ラベルの周辺部分がバリア材から剥がされるように蓋に接着されることを特徴とする請求項１乃至７いずれか１項記載の包装された束。
【請求項９】
バリア材はコーティングされていることを特徴とする請求項１乃至８いずれか１項記載の包装された束。
【請求項１０】
紙は１００ｇｓｍ超の紙重量を有することを特徴とする請求項１乃至９いずれか１項記載の包装された束。
【請求項１１】
紙は１５０ｇｓｍ超の紙重量を有することを特徴とする請求項１乃至１０いずれか１項記載の包装された束。
【請求項１２】
紙は１６０ｇｓｍ超の紙重量を有することを特徴とする請求項１乃至１１いずれか１項記載の包装された束。
【請求項１３】
紙は１８０ｇｓｍ未満の紙重量を有することを特徴とする請求項１乃至１２いずれか１項記載の包装された束。
【請求項１４】
紙は２００ｇｓｍ未満の紙重量を有することを特徴とする請求項１乃至１２いずれか１項記載の包装された束。
【請求項１５】
紙は２２０ｇｓｍ未満の紙重量を有することを特徴とする請求項１乃至１２いずれか１項記載の包装された束。
【請求項１６】
基部と、開口位置と閉口位置の間を回転するように基部に取り付けられた蓋と、基部内に収容された請求項１乃至１５いずれかのタバコ産業製品の包装された束とを含むパック。
【請求項１７】
請求項１乃至１５のいずれかのタバコ産業製品の包装された束を形成するために使用される複数のブランクを含むバリア材の巻き枠。
【請求項１８】
複数のブランクは、それぞれ所定の折り曲げ線を含むことを特徴とする請求項１７記載のバリア材の巻き枠。
【請求項１９】
各ブランクは、包装された束の取り出し領域を画定する脆弱線を含むことを特徴とする請求項１７または１８記載のバリア材の巻き枠。
【請求項２０】
バリア材内のタバコ産業製品を包装することを含む請求項１乃至１５いずれかのタバコ産業製品の包装された束を形成する方法。
【発明の詳細な説明】
【技術分野】
【０００１】
本発明はタバコ産業製品を有するパックとタバコ産業製品の包装された束に関する。
【背景技術】
【０００２】
紙巻きタバコなどのタバコ産業製品はパックに入って販売される。一般によく知られているパックは、基部とヒンジ式蓋を有する厚紙で製作された外箱を含む。基部は喫煙品の束を収納する。喫煙品は金属化プラスチックまたはプラスチック箔／金属箔の積層体から成る可撓性のバリア層で包装される。蓋を開けた際に、消費者がパックから喫煙品を取り出しやすいように、バリア層は取り出し開口部を含む。この取り出し開口部は、可撓性のカバーによって閉じられ、このカバーは取り出し開口部を越えて延び、取り出し開口部を露出させるため、蓋を開口位置へと枢動させると、消費者が剥がせるようになっていてもよい。カバーの周辺領域は、開口部の縁部の周りでバリア層と重なる位置に一時的に繰り返し接着する接着剤でコーティングされていてもよく、これによってカバーは何度も剥がしたり、戻したりしてパックを繰り返し封止することができパック内の喫煙品の鮮度を保つことができるようになっている。
【０００３】
ラベルを効率的に繰り返し接着させるため、内方フレームがバリア材のすぐ下の紙巻きタバコの周りに部分的に延びるように束内に設けられている。取り出し開口部の周辺部の周りにラベルによってかけられる再封止する際の圧力に対する反応面を束内で内方フレームは供する。
【発明の概要】
【０００４】
本開示の発明は、バリア材で包装されたタバコ産業製品を含む包装された束を提供し、バリア材は、バリア材に取り出し領域を含み、束は、取り出し領域を覆うための前記バリア材に接着されたラベルを含み、このラベルは取り出し領域を越えて延びる周辺部分を有し、かつタバコ産業製品に触れることがきるように取り出し領域を開けるために使用時にはバリア材から剥がすことができ、バリア材は紙重量が８５ｇｓｍ超の紙を含む。
【０００５】
ラベルは、バリア材の表面に接着される別個のカバーを形成してもよい。
【０００６】
束は、タバコ産業製品とバリア材の間に内方フレームを含まなくてもよい。
【０００７】
バリア材は、重なり領域を含んでもよく、その領域の間で束はいかなる接着剤も備えない。
【０００８】
包装された束は、側面によって隔てられる正面と背面を有する平行六面体を形成してもよく、バリア材の重なり領域の少なくとも一つは、包装された束の側面の一つに実質的に沿って配される。
【０００９】
重なり領域は封止されなくてもよい。
【００１０】
ラベルの周辺部分は、再粘着性接着剤でバリア材に接着されてもよい。
【００１１】
ラベルは、使用時に蓋を開口位置に回転させると同時に、ラベルの周辺部分がバリア材から剥がされるように蓋に接着されてもよい。
【００１２】
バリア材はコーティングされてもよい。
【００１３】
紙は１００ｇｓｍ超の紙重量を有してもよい。
【００１４】
紙は１５０ｇｓｍ超の紙重量を有してもよい。
【００１５】
紙は１６０ｇｓｍ超の紙重量を有してもよい。
【００１６】
紙は１８０ｇｓｍ未満の紙重量を有してもよい。
【００１７】
紙は２００ｇｓｍ未満の紙重量を有してもよい。
【００１８】
紙は２２０ｇｓｍ未満の紙重量を有してもよい。
【００１９】
また本開示の発明は、基部と、開口位置と閉口位置の間を回転するように基部に取り付けられた蓋と、基部内に収容された請求項１乃至１５いずれかのタバコ産業製品の包装された束とを含むパックを提供する。
【００２０】
また本開示の発明は、請求項１乃至１５のいずれかのタバコ産業製品の包装された束を形成するために使用される複数のブランクを含むバリア材の巻き枠を提供する。
【００２１】
複数のブランクは、それぞれ所定の折り曲げ線を含んでもよい。
【００２２】
各ブランクは、包装された束の取り出し領域を画定する脆弱線を含んでもよい。
【００２３】
また本開示の発明は、請求項１乃至１５いずれかのタバコ産業製品の包装された束を形成する方法を提供し、この方法はバリア材内のタバコ産業製品を包装することを含む。
【図面の簡単な説明】
【００２４】
あくまでも例示を目的として、添付の図面を参照し、本発明の実施態様を説明する。
【図１】本発明の実施態様によるタバコ産業製品を含むパックを示す。
【図２】本発明の実施態様によるパックの蓋が開口位置にあるタバコ産業製品を有するパックを示す。
【図３】本発明の実施態様による包装された束を形成するためのバリア材層のブランクを示す。
【図４】包装された束の組立て作業の組立て工程を示す。
【図５】バリア材の巻き枠を示す。
【発明を実施するための形態】
【００２５】
本発明の実施態様では、本明細書でバリア層５と称するバリア材料５で包装されたタバコ産業製品を含む包装された束６を提供する。バリア層５は、バリア層５にある開口部８のような取り出し領域を含む。包装された束は、取り出し開口部８を覆うための前記バリア層５に接着されたラベル９を含み、このラベル９は取り出し開口部を越えて延びる周辺部を有し、タバコ産業製品に触れることができるように取り出し開口部８を開けるため、使用時にはバリア層５から剥がすことができる。バリア層５は８５ｇｓｍ超の紙重量の紙を含む。
【００２６】
これとは別に包装された束６は、１００ｇｓｍ超、１５０ｇｓｍ超、または１６０ｇｓｍ超の紙重量を有してもよい。好ましくは包装された束は、１８０ｇｓｍ未満、２００ｇｓｍ未満、または２２０ｇｓｍ未満の紙重量を有する。包装された束は、１７０ｇｓｍの紙重量を有するのがさらに好ましい。
【００２７】
列挙されたいずれかの範囲の紙重量である紙製のバリア層５を供することは、以下に説明するパックの構造と製造性の両方において利点がある。
【００２８】
バリア層５に使用される紙材料は、中の紙巻きタバコ４をよりよく保護するために、例えばポリマー樹脂のように耐湿性仕上げのコーティングをされていることが好ましい。あるいは、バリア層５に使用される紙材料は、遷移金属化された紙のラミネートであってもよい。
【００２９】
本明細書で使用される「タバコ産業製品」なる用語は、紙巻きタバコ、シガリロ、葉巻タバコ、パイプ用あるいは手巻きタバコ用のタバコ（タバコ、タバコ派生物、膨張タバコ、再生タバコ、タバコ代替品あるいはその他の喫煙材料のいずれかを基礎材料としているかにかかわらず）などの喫煙品、電子タバコなどの電子喫煙品、加熱式タバコなどの燃焼せず基材材料から化合物を発生させる加熱器具、および液体、ゲル状あるいは固体の基材を有するハイブリッドシステムのような、基材材料の組み合わせからエアロゾルを発生させるハイブリッドシステムを含む。
【００３０】
1つの実施態様では、タバコ産業製品は、紙巻きタバコ、シガリロおよび葉巻きからなる群から選択される燃焼性喫煙品である。
【００３１】
1つの実施態様では、タバコ産業製品は、非燃焼性喫煙品である。
【００３２】
1つの実施態様では、タバコ産業製品は、基材材料を加熱するが燃焼させずに化合物を発生させる加熱装置である。材料は、例えば、タバコまたは他の非タバコ製品であってもよいし、ニコチンを含んでも含まなくてもよい。1つの実施態様では、加熱装置はタバコ加熱装置である。
【００３３】
別の実施態様では、タバコ産業製品は、基材材料の組み合わせを加熱するが燃焼させずにエアロゾルを発生させるハイブリッドシステムである。基材材料は、例えば液体、ゲル、または固体を含んでもよく、それらがニコチンを含んでも含まなくてもよい。固体の基材は例えば、タバコまたは非タバコ製品であってもよいし、ニコチンを含んでも含まなくてもよい。1つの実施態様では、ハイブリッドシステムは液体またはゲル状の基材およびタバコを含んでもよい。
【００３４】
また１つの実施態様では、図１のような硬いボール紙でできた外箱１も提供される。外箱１はヒンジ式蓋２と基部３とを含み、基部３はその開口端部から突出した包装された束６を有する。
【００３５】
以下の実施態様では包装された束６は、紙巻タバコからなる装填物を含み、平行六面体の形状をとる。例えば、２０本の紙巻きタバコを、前列および後列に７本、真ん中の列に６本のみを横一列に配置する３列から形成され、これによって紙巻きタバコは密集した配置となる。平行六面体の包装された束６は、前面６１、背面６２を有し、それぞれ前列および後列の紙巻きタバコを横断して広がった平面として画定されている。包装された束６は側面６３、６４も有し、それらは正面６１と背面６２、頂面６５と底面（図示せず）をそれぞれ仕切る。頂面６５は、紙巻きタバコの装填物の上端、通常はフィルター端部の位置と一致し、底面は紙巻タバコの下端の位置と一致する。
【００３６】
取り出し開口部８の縁部７は破線で示され、包装された束６の背面６２から包装された束６の頂面６５を横断して正面６１を下方に取り出し開口部の縁部７ａに到達するまで延びている。
【００３７】
ラベル９は、取り出し開口部８とセクション５ａに重なる。ラベル９は材料層であり、バリア層５とセクション５ａに向いたその下面に再粘着性接着剤を有する。これとは別にセクション５ａを覆うがそれを越えないラベル９の下面部分に永久接着剤を使用してもよい。取り出し開口部８の縁部７を越えて延びるラベル９の下面部分には再粘着性接着剤がコーティングされている。
【００３８】
ラベル９は、前壁下方縁部１０を有し、そしてタブ１１を含み、このタブは少なくとも一部は再粘着性接着剤が塗布されていない前壁下方縁部１０から延び、これによって消費者はタブをめくりあげることができ、取り出し開口部８を開けるためにラベル９を剥がすことができる。
【００３９】
最初に開ける際、セクション５ａをバリア層の残りの部分４から隔てる取り出し開口部８の縁部７は、バリア層５に脆弱線で画定されてもよく、または（図１に点線で示されているように）実際の切れ込みで画定されてもよい。ラベル９が引っ張られると、ラベル９の下面に接着されたままのバリア層５のセクション５ａが、脆弱線あるいは切り取りに沿ってバリア層５の残りの部分から離れ、取り出し開口部８を開口する。消費者はその後、取り出し開口部８を介して包装された束６から紙巻きタバコ４を取り出し、取り出した後は、タブ１１を下方に戻し、ラベル９の縁部が取り出し開口部８の周辺部を囲む領域においてバリア層５に再度接着されるように取り出し開口部８を再度封止するか、閉じる。タブ１１が持ち上げられる際に離されて形成されるバリア層５のセクション５ａは、取り出し開口部８の元の位置に戻される。バリア層５に分離線があるが、これはラベル９の接着する縁部によって覆われる。
【００４０】
当然のことながら、ラベル９はバリア層５の表面に接着される別個のカバーである必要はなく、代わりにバリア層５と一体化したものであってもよい。例えば、紙製のバリア層５は、内方層と外方層を有する紙積層体材料から形成されてもよく、紙積層体の組み合わされた層は、８５ｇｓｍ超または上述の範囲内の紙重量を有する。紙巻きタバコに隣接する層として内方層は画定される。このような実施態様では、ラベル９の外縁部はレーザーまたは他の好適な手段で紙積層体の外方層へと切り込まれ、同時に取り出し開口部８の境界７が内方層へと切り込まれる。
【００４１】
８５ｇｓｍ超または上述の範囲内の紙重量を有するバリア層５を使用することで、取り出し開口部８の周辺部は強化され、ラベル９の端部がバリア層５に再度貼付される際の、再封止圧に対する反応面を供する。従来のバリア層は、この再封止圧に対して充分に支持せず、上記のような包装された束の組立てをより複雑にする内方フレームが必要であった。すなわち、内方フレームを除外できることが本発明の利点である。これにより、パック組立て作業において紙巻きタバコの周囲で内方フレームを折り曲げる工程がなくなる。内方フレームを除外することにより、組立て作業の簡素化および使用材料の削減の両方の結果として、パックのコストが削減される。
【００４２】
外箱１がある場合にタブ１１が比較的掴みにくいので、ラベル９および／またはタブ１１は蓋２の前壁の内面２４に接着されてもよく、これによって蓋２が開くと同時に取り出し開口部８が露出するようにラベル９はめくられる。特に、図２に示すように、開口位置にある蓋２と共にバリア層５のセクション５ａは取り出し開口部８を露出させるように後ろに引かれ、消費者は包装された束６から紙巻きタバコ５を容易に取り出すことができる。
【００４３】
蓋２とラベル９を同時に開けることができるように、ラベル９は、タブ２５として表されるその最下縁部に隣接する領域を有する。タブ２５をラベル９の残りの部分から分けるための折り曲げ線２６の位置でタブ２５は折り曲げられるので、蓋２が閉められると、タブ２５の表面２７はラベル９の外面に接して位置するまたは外面に面する。外方に面する、タブ２５の対向面２９は蓋２の内方面２４に永久接着剤で接着される。当然のことながら、接着する前に折り曲げられることなく、タブ２５の外方面２９は蓋２の内方面２４に永久的に接着することができる。この場合、蓋２が開口位置にある時のみ、タブ２５はラベル９の残りの部分に対して折り曲げられる。
【００４４】
蓋２を開口位置へとヒンジ１２を軸に枢動させると、タブ２５と蓋２の間の接続によってラベル９もまた引っ張られる。この結果、バリア層５のセクション５ａと共にラベル９は取り出し開口部８からめくられるまたは巻き取られ、セクション５ａもまたラベル９と一緒に取り出し開口部８から持ち上げられる。パック１が最初に開封されると、その後、蓋２が開くにつれて、領域５ａとバリア層５の残りの部分を分ける脆弱線に沿ってセクション５ａもまたバリア層５の残りの部分から離れる。蓋２が開くと、タブ２５は折り曲げ線２６を軸にラベル９の残りの部分に対して枢動する。
【００４５】
当然のことながら、蓋２がヒンジ１２を軸に閉じた位置に回転して戻った場合、ラベル９は取り出し開口部８を横断するように後退し、バリア層の領域５ａは取り出し開口部８内の元の位置に戻る。剥離可能な接着剤でコーティングされたラベル９の周辺領域もまた取り出し開口部８の周囲でバリア層５に再貼付され、これによってパック１は閉じられる。
【００４６】
図３は、包装された束６を形成する前の紙巻きタバコ４を包装するためのバリア材層５のブランク１３を示す。ブランク１３は、実質的に中心に位置する取り外し可能なセクション５ａと共に長方形をなす。取り外し可能なセクション５ａは、その下縁部７ａがブランク１３を横方向に延びるように、配置される。ブランクの縁部の長いほうである長手方向縁部１３１、１３２と、ブランク１３の縁部の短いほうである横手方向縁部１３３、１３４をブランクは含む。長手方向縁部は、ブランクが折り曲げられた時に紙巻きタバコの長手方向軸と平行になるように配置される。
【００４７】
任意に図３に破線で示す所定の折り曲げ線がブランク内に設けられている。折り曲げ線は、ブランク１３が紙巻きタバコからなる装填物を包装する前に、ブランク１３に予めエンボス加工によって形成されてもよい。折り曲げ線は、ブランクの形状記憶を取り除くようにブランクを弱体化し、ブランクの折り曲げられた縁部が包装された束６の側面と面一状態を維持しようとする。ブランク１３の横手方向縁部１３３、１３４と平行に延びる横手方向の折り曲げ線１３７、１３８と、ブランク１３の長手方向縁部１３１、１３２と平行して延びる長手方向の折り曲げ線の１３５、１３６の２組の折り曲げ線を設けてもよい。
【００４８】
複数のブランクは、以下に説明するように巻き枠１４上に供され、紙巻きタバコの組立て作業に供給されてもよい。このような巻き枠を簡単に図５に示す。
【００４９】
図４に示す束６の組立て工程の際、バリア材層５のブランク１３は紙巻きタバコ４からなる装填物に直接巻かれ、これによってバリア材５は紙巻きタバコ４に直に接する。当然のことながら「直に接する」とは、紙巻きタバコ４とバリア材層５の間に内方フレームのようなその他の構造体や材料を有しないことを意味する。
【００５０】
第１の組立て工程Ｓ１では紙巻きタバコ４の装填物は、紙巻きタバコ４が隙間ができないように列状にまとまって整列される。このように配置することで、紙巻きタバコ４の装填物はほぼ平行六面体の形をとる。例えば、３列から形成される２０本の紙巻きタバコの装填物が、前列と後列に横一列に７本、真ん中の列に横一列に６本のみ配置され、これによって紙巻きタバコは密に梱包された構造に配置される。平行六面体の装填物４は正面と背面を有し、各面は紙巻きタバコの前列および後列を横断している平面として画定される。平行六面体の装填物４は、正面と背面と頂面と底面を隔てる側面も有する。頂面は紙巻きタバコの装填物の上端（通常はフィルター端）の位置と一致し、底面は紙巻タバコの下端の位置と一致する。
【００５１】
第２の組立て工程Ｓ２では、ブランク１３は、巻き枠１４から離され、平行六面体の紙巻きタバコ４の装填物の周りで折り曲げられる。ブランク１３の切り取りセクション５ａは、紙巻きタバコ４の頂面に接するように配され、これによって包装された束５が完全に形成された際、紙巻きタバコは束６から最初にフィルター端部を取り出すことができる。
【００５２】
第３の組立て工程Ｓ３では、紙巻きタバコ４の装填物を越えて延びるブランク１３の周辺領域は、包装された束の側面を形成するために折り曲げられる。例えば図１に示すように、折り曲げられて周辺領域は重なり、紙巻きタバコ４を完全に包み、重なり領域１５を形成する。平行六面体の紙巻きタバコの装填物の側面上でブランク１３の長手方向縁部１３１、１３２が長手方向の折り曲げ線１３５、１３６に沿って折り曲げられ、一方で装填物の底面上で横手方向縁部１３３、１３４が横手方向の折り曲げ線１３７、１３８に沿って折り曲げられるのが好ましい。しかしながら、これとは別に紙巻きタバコの装填物の背面上で代わりに横手方向縁部を折り曲げてもよい。
【００５３】
バリア層は金属化プラスチックまたはプラスチック箔／金属箔の積層体からなる従来のパックは、重なる周辺領域が束と外箱を組み合わせた際に束の側面と面一に保持され、外箱内で詰まらないように封止される必要がある。
【００５４】
８５ｇｓｍ超のまたは本明細書に記載された範囲内の紙重量を有する紙製のバリア材層５のブランク１３から束を形成する利点は、重なる周辺領域を束６の側面と面一に保持するのに曲げた部分が十分に堅いことである。
【００５５】
当然のことながら、本明細書で言うところのｇｓｍで表される紙の重量は、１平方メートルあたりのグラムを意味し、またはしばしば坪量とも言われ、紙や板の重量を決定するＩＳＯ５３６の規格に従って記載される。
【００５６】
種々の問題に対処し本技術を促進するため、本開示の全体は、特許請求の範囲に記載された発明が実施できるよう、及びこの発明をもとに、より高度な喫煙品用パックを提供できるように様々な実施態様を図によって示している。本開示の利点及び特徴は、実施態様の代表的事例にしかすぎず、包括的および／または排他的なものではない。これらは、特許請求の範囲に記載された特徴の理解を助け、教示するために提示されているにすぎない。当然のことだが本開示の利点、実施態様、実施例、機能、特徴、構造および／またはその他の実施態様は、特許請求の範囲またはそれと同等のものと限定することによって規定されるので、本開示を限定するものとして考慮すべきではなく、ならびに、本明細書の開示の範囲から逸脱することなく、他の実施形態を用いることができ、且つ変更を加えることができる。種々の実施態様は、開示された要素、構成要素、特徴、部品、工程、手段等の種々の組み合わせを好適に含んでも、それらで構成されても、または本質的にそれらで構成されてもよい。さらに、本開示は現時点で特許請求の範囲とされていない他の発明も含むものである。
【図１】
2020517541.tif 000003
【図２】
2020517541.tif 000004
【図３】
2020517541.tif 000005
【図４】
2020517541.tif 000006
【図５】
2020517541.tif 000007
【国際調査報告】
2020517541.tif 000008
2020517541.tif 000009